(57)【要約】　　　（修正有）【課題】畳包丁を使用せずに荒落しや畳を小さく切断する作業を容易に行なうことができる畳の切断具を提供することを目的とする。【解決手段】一定の高さを有する作業台１８の上に置かれた畳１９の前記作業台の縁からのはみ出し部分を切断する畳切断具であって、刃体１と刃台５と脚部７を含み、刃体は柄２の先方に切断刃３を有し、該刃体のほぼ先端を中心に回動可能となるように刃台に取り付けられ、脚部１６は刃台の後部に取り付けられ且つ脚部の先端には脚輪が取り付けられており、刃台がほぼ水平のときに該刃台の上面と畳の裏面が接し且つ前記脚輪と床の接点は前記脚部の取り付け基部よりも後方に位置している。【選択図】　図１
2004074354.tif 000002
【特許請求の範囲】
【請求項１】
一定の高さを有する作業台の上に置かれた畳の前記作業台の縁からのはみ出し部分を切断する畳切断具であって、刃体と刃台と脚部を含み、刃体は柄の先方に切断刃を有し、該刃体のほぼ先端を中心に回動可能となるように刃台に取り付けられ、脚部は刃台の後部に取り付けられ且つ脚部の先端には脚輪が取り付けられており、刃台がほぼ水平のときに該刃台の上面と畳の裏面が接し且つ前記脚輪と床の接点は前記脚部の取り付け基部よりも後方に位置していることを特徴とする畳切断具
【請求項２】
刃台の前部に補助輪を有する請求項１記載の畳切断具
【発明の詳細な説明】
【０００１】
【発明の属する技術分野】
本発明は、畳を切断するための畳切断具に関する。
【０００２】
【従来の技術】
畳一枚の大きさは伝統的な一軒家を基準としており、畳の縁（へり）を縫い付ける前の畳はやや大きめに形成されている。そして、畳の縁をミシンで縫い付けるときに畳用ミシンが余分な畳を切断しながら縁を縫い付けていくのである。その余分な畳の幅は規定の数値はないが概ね２〜５ｃｍ程度である。ところが、マンションや大規模団地における６畳や８畳の部屋は一軒家よりも狭く形成されている。したがって、畳の縁（へり）を縫い付けるときに切り取るべき余分な畳の幅が大きくなるので、このような切断は畳用ミシンですることができない。そこで、荒落しと言って、畳用ミシンが切り取ることのできる幅を残して畳包丁で畳を切り落とすのである。また、長期間使用して不要になった畳を処分するときはそのままの大きさでは大き過ぎて処分できないから、畳を小さくする切断する必要があり、畳包丁で小さく切断していた。
【０００３】
【発明が解決しようとする課題】
このような、畳を小さな畳包丁で切断する作業は大きな力を必要とするので職人にとって負担となっていた。そこで本発明は、畳包丁を使用せずに荒落しや畳を小さく切断する作業を容易に行なうことができる畳の切断具を提供することを目的とする。
【０００４】
【課題を解決するための手段】
本発明の請求項１は、一定の高さを有する作業台の上に置かれた畳のはみ出し部分を切断する畳切断具であって、刃体と刃台と脚部を含み、刃体は柄の先方に切断刃を有し、該刃体のほぼ先端を中心に回動可能となるように刃台に取り付けられ、脚部は刃台の後部に取り付けられ且つ脚部の先端には脚輪が取り付けられており、刃台がほぼ水平のときに該刃台の上面と畳の裏面が接し且つ前記脚輪と床の接点が前記脚部の取り付け基部よりも後方に位置している構成である。
【０００５】
請求項２は、刃台の前部に補助輪を有する要素が請求項１に限定的に付加された構成である。
【０００６】
【発明の効果】
本発明は以上のような構成であって、刃体は、ほぼ先端を中心に回動可能となるように刃台に取り付けられているから、基本的な構成は押切りと同じである。本発明の切断具は、床から浮いている畳を切断するためのものであって、そこに本発明の特徴がある。本発明は、脚部が刃台の後部に取り付けられ且つ脚部の先端には脚輪が取り付けられており、刃台がほぼ水平のときに該刃台の上面と畳の裏面が接し且つ前記脚輪と床の接点は前記脚部の取り付け基部よりも後方に位置していることに特徴がある。したがって、作業台からはみ出した畳を切断するときに、刃体と刃台の開き角度を大きくして刃台を畳の裏面に宛てがい、それから刃体を下方に回動して畳を切断するときに、切断具は全体的に刃体の回動と共に旋回しようとするが、脚部が床に押し付けられ旋回を確実に規制して切断具は旋回することなく畳を確実に切断することができる。
【０００７】
また、本発明は脚部の先端に脚輪が取り付けられている。この理由は以下の通りである。すなわち、畳を切断する際に脚部で切断具を支え、刃体を刃台の開き角度を大きくして畳を挟もうとするときに、刃台は水平でなく前下がりの状態であり、刃台は畳に接していない。その状態から畳を切断するために刃体を下方に回動すると、刃体の回動と共に切断具は旋回する。そして、脚部も旋回するので脚部の先端は床に接しながら前方へ移動するが、脚部の先端に脚輪が取り付けられているので、脚部の先端は床の上を円滑に移動して刃台を畳の裏面に容易に宛てがうことができる。そして、脚輪と床の接点は脚部の取り付け基部よりも後方に位置しているから、刃台が畳の裏面に宛がわれたときにそれ以上刃台が旋回することを規制する。したがって、それからさらに刃体を回動すると刃台は固定状態となるので畳を切断することができる。また、刃体は柄の先方に切断刃が連なっているので梃子の原理によって小さな力で切断することができ、職人にほとんど疲労が生じない。
【０００８】
請求項２は、刃台の前部に補助輪を有する構成である。補助輪を設ける第一の理由は、補助輪と脚輪を床の上に置いて転がすことにより切断具を容易に移動するためである。また、第二の理由は、前述したように、畳を切断する際に刃体を刃台の開き角度を大きくして畳を挟もうとするときに、刃台は水平でなく前下がりの状態である。このときに、刃台の前部を床に置けば作業者は楽になる。そして、刃体を回動したときに刃台が旋回するが、そのときに床に置かれた刃台の前部が床の上を移動するので、補助輪を設けることにより刃台が床の上を円滑に移動して作業者に負担をかけることがない。
【０００９】
【発明の実施の形態】
次に本発明の実施の形態を図面に従って説明する。刃体１は柄２の先方に切断刃３が取り付けられている。切断刃３のほぼ先端に軸孔（図示せず）が設けられており、その軸孔に挿通された支軸４を中心に切断刃３は回動可能である。支軸４は刃台５の前部に取り付けられているので、切断刃３は刃台５に対して回動可能である。
【００１０】
刃台５は、矩形の細長い２本の材木６，６を間隔を開けて並べたものであって、支軸４及び脚部７，７の固定軸８によって一定の間隔を保持している。すなわち、支軸４及び固定軸８の材木６，６に沿う部分にネジ溝を刻みナット９，１０を取り付けることによって２つの材木６，６と支軸４及び固定軸８を固定する。
【００１１】
支軸４には大きなワシャ２０，２０が取り付けられて切断刃３を挟んでいる。ワッシャ２０は大きいので切断刃３が回動するときに左右にぶれることを防止する。また、ワッシャ２０は、スリーブ１１及び一対の固定ナット１２，１２によって横方向に移動するがない。ただし、ワッシャ２０の移動阻止手段はこれに限定されないことは勿論である。
【００１２】
刃台５の先端には、金具１３を介してキャスタ１４が取り付けられている。また、刃台５の後部には一対の脚部７，７が固定軸８によって取り付けられている。さらに、脚部７，７の回動を防止するために脚部７，７は止め軸１５，１５によっても固定されている。脚部７，７は刃台５に対してやや後方向きに斜めに取り付けられており、脚部の先端にはそれぞれ脚輪１６，１６が取り付けられている。また、脚部７，７の途中に複数の孔１７が設けられているが、これは、脚部７の長さを調節するためのものである。
【００１３】
次に本発明の使用方法について説明する。図１は２つある材木６，６の手前の材木を取り除いた状態の正面図である。また、図１は、畳を切断している最中の図であるので、切断の準備から説明する。まず、作業台１８の上に切断しようとする畳１９を載せる。その際、切り落とす部分は作業台１８の縁からはみ出すように置く。そして、脚輪１６とキャスタ１４を床の上に転がしながら切断具を移動し、刃台５をはみ出した畳の下側に置く。そのとき、刃体１は刃台５に対して大きな角度で開いておき、切断刃３を畳の切断開始部分に宛てがう。次いで、刃体１を下方に押すと切断刃３が畳１９に強く当たり、そのときに畳はまだ切断されず、反力で刃台５が浮き上がり図１に示したように畳の下面に接する。この状態から、刃体１に力を加えて下方に押すと切断刃３によって畳１９を切断することができる。切断は梃子の原理によって容易に行なうことができる。刃体１を下まで降ろしたら再度刃体２を上方に上げて刃台５との角度を開き、切断具を後方に移動する。そして、最初と同じように畳を切断する。
【００１４】
図１に示したように畳の切断中にキャスタ１４は浮き上がっており、脚部７のみで刃台５を支持し、しかも刃台５の端部には脚輪１６が取り付けられているので不安定に見えるが、脚部７は斜め後方に傾斜していて脚輪１６と床の接点は脚輪の取り付け基部である固定軸８よりも後方に存在している。したがって、刃体１を下方に回動しても脚部７は旋回することがなく脚部７によって刃台５は安定的に支持される。
【図面の簡単な説明】
【図１】本発明の使用状態を示す一部断面図
【図２】本発明の正面図
【図３】本発明の刃台の手前の材木を取り除いた正面図
【図４】本発明の平面図
【図５】本発明の前面図
【図６】刃体の結合状態を示す断面図
【符号の説明】
１　刃体
２　柄
３　切断刃
４　支軸
５　刃台
６　材木
７　脚部
８　固定軸
９　ナット
１０　ナット
１１　スリーブ
１２　固定ナット
１３　金具
１４　キャスタ
１５　止め軸
１６　脚輪
１７　孔
１８　作業台
１９　畳
２０　ワッシャ
【図１】
2004074354.tif 000003
【図２】
2004074354.tif 000004
【図３】
2004074354.tif 000005
【図４】
2004074354.tif 000006
【図５】
2004074354.tif 000007
【図６】
2004074354.tif 000008